(57)【要約】【課題】設定の操作を容易にすることができる表示装置を提供する。【解決手段】表示装置における所定の設定を行なうための操作をユーザから受け付けるリモコン受光部３５と、リモコン受光部３５が受け付けた上記操作によって行なわれる上記設定の種類に応じた、少なくとも顔を有した所定のキャラクターを表すキャラクター画像１０１を取得する画像取得部３７と、画像取得部３７が取得したキャラクター画像１０１を表示する表示制御部２１とを備えている。【選択図】図１
2011138215.tif 000002
【特許請求の範囲】
【請求項１】
表示装置における所定の設定を行なうための操作をユーザから受け付ける受付手段と、
上記受付手段が受け付けた上記操作によって行なわれる上記設定の種類に応じた、少なくとも顔を有した所定のキャラクターを表すキャラクター画像を取得する画像取得手段と、
上記画像取得手段が取得した上記キャラクター画像を表示する表示手段とを備えていることを特徴とする表示装置。
【請求項２】
上記設定を行なう際に上記表示装置に反映される複数の設定値のうちいずれかを個別に選択するための複数の選択項目を表示する選択項目表示手段をさらに備えており、
上記複数の選択項目のうちいずれかを選択するための上記操作を上記受付手段が受け付けたとき、上記画像取得手段は、選択された上記選択項目に対応する上記設定値に応じた表示形態の上記キャラクター画像を取得することを特徴とする請求項１に記載の表示装置。
【請求項３】
上記キャラクター画像が動画であることを特徴とする請求項１又は２に記載の表示装置。
【請求項４】
請求項１〜３のいずれか１項に記載の表示装置を備えていることを特徴とするテレビジョン受像機。
【請求項５】
請求項１〜３のいずれか１項に記載の表示装置の各部としてコンピュータを機能させるためのプログラム。
【請求項６】
請求項５に記載のプログラムを記録したコンピュータ読み取り可能な記録媒体。
【請求項７】
表示装置における所定の設定を行なうための操作をユーザから受け付ける受付工程と、
上記受付工程において受け付けた上記操作によって行なわれる上記設定の種類に応じた、少なくとも顔を有した所定のキャラクターを表すキャラクター画像を取得する画像取得工程と、
上記画像取得工程において取得した上記キャラクター画像を表示する表示工程とを含んでいることを特徴とする表示方法。
【発明の詳細な説明】
【技術分野】
【０００１】
本発明は、表示装置、テレビジョン受像機、表示方法、プログラム及び記録媒体に関する。
【背景技術】
【０００２】
表示装置を備えた機器として、以下のような様々な技術が開示されている。
【０００３】
特許文献１には、機器の調整に関わる設定を変更する設定変更装置が記載されている。この設定変更装置は、機器の調整に関わるメニュー画面を表示し、ユーザからの初期化の指示を受け付けると、このメニュー画面に全初期化又は部分初期化のいずれかを選択させる項目を表示させ、この項目から全初期化又は部分初期化のいずれかが選択されると、該選択に応じて設定変更された項目の変更値を初期化するものである。
【０００４】
また、特許文献２には、電子番組情報表示方法及び電子番組情報表示装置が記載されている。これらの方法及び装置は、放送番組に関してそのジャンルの情報を含む番組関連情報を取得し、番組関連情報画面を形成してディスプレイ上に表示する。また、このディスプレイ上において、各ジャンルに対応して、複数用意されるアイコンの候補の中から指定アイコンを選択し、番組関連情報画面が構成される際に前記番組関連情報画面に各ジャンルに対応したアイコンの表示として前記指定アイコンの表示を指示するものである。
【０００５】
また、特許文献３には、パソコンから出力される操作指令信号に基づいて再生動作および／または記録動作が制御され得るパソコン制御機能付の音響機器が記載されている。この音響機器は、パソコンから操作指令信号が出力され、該出力に基づく動作が所定時間の間に継続して行なわれている間に、パソコンのディスプレイに、標準形状の所定のキャラクター画像を表示させ、該表示を再生および／または記録の履歴に対応して変化させるように制御するものである。
【先行技術文献】
【特許文献】
【０００６】
【特許文献１】特開２００７−３０６１１３号公報（２００７年１１月２２日公開）
【特許文献２】特開２００６−１４０７８３号公報（２００６年６月１日公開）
【特許文献３】特開２００２−１３３７６２号公報（２００２年５月１０日公開）
【発明の概要】
【発明が解決しようとする課題】
【０００７】
テレビの高機能化に伴い、テレビに備えられる表示装置に対して様々な設定を行なうことができるようになっている。したがって、テレビを使用する際には、当該表示装置に対して、種々の設定を行なう必要がある。しかし、昨今の表示装置においては、その高機能化によって設定の項目が非常に多くなっており、設定の操作が困難であるという問題がある。
【０００８】
例えば、それぞれの項目について、どの設定値に設定すべきか判断が難しい場合がある。また、複数の項目の設定を変更したあとで、一部の項目について元に戻したい場合に、変更前の設定値がどれであるかを判断するのが困難な場合がある。全ての項目を初期化すると、設定を最初から全てやり直さなければならず、手間がかかる。また、特に電子機器に対して苦手意識を持っているユーザにとっては、このような設定の操作をすることに抵抗を感じてしまう。
【０００９】
上述した各特許文献には、各電子機器に対する設定の操作を容易にするための解決手段は記載されていない。
【００１０】
本発明は、上記問題に鑑みてなされたものであり、その目的は、設定の操作を容易にすることができる表示装置を提供することにある。
【課題を解決するための手段】
【００１１】
上記の課題を解決するために、本発明に係る表示装置は、表示装置における所定の設定を行なうための操作をユーザから受け付ける受付手段と、上記受付手段が受け付けた上記操作によって行なわれる上記設定の種類に応じた、少なくとも顔を有した所定のキャラクターを表すキャラクター画像を取得する画像取得手段と、上記画像取得手段が取得した上記キャラクター画像を表示する表示手段とを備えていることを特徴とする。
【００１２】
また、上記の課題を解決するために、本発明に係る表示方法は、表示装置における所定の設定を行なうための操作をユーザから受け付ける受付工程と、上記受付工程において受け付けた上記操作によって行なわれる上記設定の種類に応じた、少なくとも顔を有した所定のキャラクターを表すキャラクター画像を取得する画像取得工程と、上記画像取得工程において取得した上記キャラクター画像を表示する表示工程とを含んでいることを特徴とする。
【００１３】
上記の構成であれば、設定の種類に応じたキャラクター画像を表示することによって、ユーザに、行なおうとしている設定の種類について視覚的に知らせることができる。また、キャラクター画像が少なくとも顔を有していることによって、種々の表情を有するキャラクターを表現することができるので、行なわれようとしている設定の種類に応じた表情を有するキャラクター画像を表示することによって、ユーザに、設定の種類がどのようなものであるかを視覚的に分かり易く知らせることができる。
【００１４】
したがって、本発明の表示装置及び表示方法は、設定の操作を容易にすることができるため、電子機器に対して苦手意識を持っているユーザの苦手意識を軽減させることができる。
【００１５】
また、本発明に係る表示装置では、上記設定を行なう際に上記表示装置に反映される複数の設定値のうちいずれかを個別に選択するための複数の選択項目を表示する選択項目表示手段をさらに備えており、上記複数の選択項目のうちいずれかを選択するための上記操作を上記受付手段が受け付けたとき、上記画像取得手段は、選択された上記選択項目に対応する上記設定値に応じた表示形態の上記キャラクター画像を取得することが好ましい。
【００１６】
上記の構成であれば、設定値に応じた表示形態のキャラクター画像を表示することができるので、ユーザに、選択した選択項目に対応する設定値がどのようなものであるかについて視覚的に知らせることができる。
【００１７】
例えば表示装置の製作者が考えるお勧めの設定値には、喜んでいるキャラクターを表すキャラクター画像を対応させることによって、ユーザに、その設定値がお勧めのものであることを暗に示すことができる。また、製作者のお勧めではない設定値には、悲しんでいるキャラクターを表すキャラクター画像を対応させることによって、ユーザに、その設定値がお勧めではないことを暗に示すことができる。
【００１８】
また、本発明に係る表示装置では、上記キャラクター画像が動画であることが好ましい。
【００１９】
上記の構成であれば、多様な表示形態のキャラクター画像を表示することができる。そのため、ユーザに、選択した選択項目に対応する設定値がどのようなものであるかを、より分かり易く知らせることができる。
【００２０】
上記の課題を解決するために、本発明に係るテレビジョン受像機は、上述したいずれかの表示装置を備えていることを特徴とする。
【００２１】
上記の構成であれば、設定の操作が容易であるテレビジョン受像機を提供できる。また、テレビのコンテンツの視聴以外のエンターテインメント性、癒し等の楽しみをユーザに提供することができる。
【００２２】
上記の課題を解決するために、本発明は、上記表示装置の各部としてコンピュータを機能させるためのプログラムであること、及び該プログラムを記録したコンピュータ読み取り可能な記録媒体であることを特徴とする。
【００２３】
上記の構成によれば、設定の操作を容易にすることができるプログラム、及び該プログラムが記録された記録媒体を提供することができる。
【発明の効果】
【００２４】
本発明に係る表示装置は、以上のように、上記の課題を解決するために、本発明に係る表示装置は、表示装置における所定の設定を行なうための操作をユーザから受け付ける受付手段と、上記受付手段が受け付けた上記操作によって行なわれる上記設定の種類に応じた、少なくとも顔を有した所定のキャラクターを表すキャラクター画像を取得する画像取得手段と、上記画像取得手段が取得した上記キャラクター画像を表示する表示手段とを備えているので、設定の操作を容易にすることができる。
【図面の簡単な説明】
【００２５】
【図１】本発明の一実施形態における表示装置が液晶表示パネルに表示させる表示画面の一例を示す図である。
【図２】本発明の一実施形態におけるテレビジョン受像機の構成を示す図である。
【図３】本発明の一実施形態におけるテレビジョン受像機が液晶表示パネルに表示させる表示画面の例を示す図である。
【図４】本発明の一実施形態におけるテレビジョン受像機が液晶表示パネルに表示させる表示画面の例を示す図である。
【図５】（ａ）〜（ｄ）は、本発明の一実施形態におけるテレビジョン受像機が表示するキャラクター画像の例を示す図である。
【図６】本発明の一実施形態におけるテレビジョン受像機が液晶表示パネルに表示させる表示画面の例を示す図である。
【図７】本発明の一実施形態におけるテレビジョン受像機が液晶表示パネルに表示させる表示画面の例を示す図である。
【図８】本発明の一実施形態におけるテレビジョン受像機が液晶表示パネルに表示させる表示画面の例を示す図である。
【図９】本発明の一実施形態におけるテレビジョン受像機が液晶表示パネルに表示させる表示画面の例を示す図である。
【図１０】本発明の一実施形態におけるテレビジョン受像機が液晶表示パネルに表示させる表示画面の例を示す図である。
【発明を実施するための形態】
【００２６】
以下、本発明に係る表示装置及び表示方法の一実施形態について、詳細に説明する。なお、ここでは、テレビジョン受像機に備えられた表示装置について説明する。
【００２７】
〔表示装置〕
まず、本実施形態における表示装置が表示する画面の例について、図１を参照して説明する。図１は、本発明の一実施形態における表示装置が液晶表示パネルに表示させる表示画面の一例を示す図である。
【００２８】
図１に示す液晶表示パネル２２には、表示装置におけるキャラクター表示の設定を行なうための操作をユーザから受け付けた際に表示する設定画面１００が表示されている。ここで、設定画面とは、複数の選択項目を表示する画面である。選択項目とは、表示装置に反映される複数の設定値のうちいずれかを個別に選択するための項目であり、複数の設定値のうちのいずれかと対応している。ある選択項目がユーザによって選択され、かつ決定された場合には、表示装置は、その選択項目に対応する設定値を反映させる。
【００２９】
なお、選択項目を「選択する」とは、当該選択項目を決定する前段階として選択することをいう。表示装置は、選択項目を選択するための操作を受け付けた段階では、当該選択項目に対応する設定値を反映させる動作は行なわない。また、選択項目を「決定する」とは、当該選択項目に対応する設定値を表示装置に反映させることを表示装置に指示することをいう。表示装置は、選択項目を決定するための操作を受け付けたときには、当該選択項目に対応する設定値を反映させる。
【００３０】
設定画面１００には、選択項目１０２と、選択項目１０３と、キャラクター画像１０１とが表示されている。選択項目１０２は、キャラクター表示を「する」ように設定するための設定値を表示装置に反映するための選択項目であり、選択項目１０３は、キャラクター表示を「しない」という設定値を表示装置に反映するための選択項目である。なお、図１は、ユーザによって選択項目１０２が選択されている状態を示している。
【００３１】
キャラクター画像１０１は、キャラクター表示という設定の種類に応じたキャラクターを表す画像である。ここでは、キャラクター画像１０１は、上半身のみのクマである。
【００３２】
本明細書において、キャラクター画像とは、少なくとも顔を有した所定のキャラクターを表す画像が意図される。ここで、「少なくとも顔を有した」とは、目、口、鼻等の顔を構成するいずれかの部位を含んでなる形状を意味しており、好ましくは顔の表情が認識され得る形態にて表されたキャラクターである。また、キャラクターとしては、例えばヒトをイラスト化したものであってもよいし、生物または無生物を擬人化したものであってもよい。また、キャラクターは顔のみではなく、例えば胴体等その他の部位を含む形態により表されてもよい。
【００３３】
本実施形態においては、選択された選択項目に対応する設定値に応じた表示形態のキャラクター画像を表示することによって、ユーザに、選択した選択項目がどのような設定値に対応するものであるかを視覚的に分かり易く知らせることができる。
【００３４】
なお、キャラクター画像は、動画であってもよい。動画としては、２コマアニメなどであってもよい。２コマアニメとは、異なる２枚の静止画を、任意の時間内に連続的に切り替えて表示するものであり、これを見たユーザに動画であると感じさせることができるという視覚効果を提供するものである。なお、キャラクター画像は、２コマアニメに限らず、３枚以上の静止画を用いたアニメなどであってもよい。キャラクター画像が動画であることによって、多様な表示形態のキャラクター画像を表示することができる。そのため、ユーザに、選択した選択項目に対応する設定値がどのようなものであるかを、より分かり易く知らせることができる。
【００３５】
キャラクター画像１０１は、選択された選択項目１０２に対応する設定値に応じた表示形態のものである。すなわち、ここでは、キャラクター画像１０１は、例えば、喜んでいるクマの２コマアニメである。なお、図面には、２コマアニメに用いられる２枚の静止画のうちの一方のみについて示す。
【００３６】
設定画面１００では、選択項目１０３が選択された場合には、例えば、悲しむキャラクターを表すキャラクター画像などが表示される。
【００３７】
設定の種類に応じたキャラクター画像とは、例えばその種類の設定であることを想起させるキャラクターを表すものなどである。例えば、設定の種類が、テレビジョン受像機に備えられる表示装置において深夜または朝などに使用されることが多い電源の切断タイマーまたは起動タイマーである場合には、これに応じたキャラクター画像は、パジャマを着たクマなどであってもよい。これにより、ユーザは、キャラクター画像を視認することによって、どのような内容の設定を行なおうとしているかを視覚的に知ることができる。
【００３８】
なお、表示装置における所定の設定とは、表示装置が有する機能に対して行ない得る種々の設定を意味する。例えば、キャラクター画像の表示設定、時刻表示設定、起動タイマー設定、番組表示させるという設定などを含む。
【００３９】
また、表示形態とは、キャラクター画像におけるキャラクターの表情、動作などをさす。表情としては、例えば笑う、泣く、すまし顔、目を伏せる等の表情が挙げられ、動作としては、例えば手を上下する、ジャンプする、首をかしげる、手を振る、ウインクする等の動作が挙げられる。設定値に応じた表示形態のキャラクター画像を表示することによって、その設定値がどのようなものであるかについて、ユーザに視覚的に知らせることができる。
【００４０】
例えばテレビジョン受像機１０の製作者が考えるお勧めの設定値には、笑う、笑いながらジャンプする、など、喜んでいるキャラクターを表すキャラクター画像を対応させることによって、ユーザに、その設定値がお勧めのものであることを暗に示すことができる。また、製作者のお勧めではない設定値には、目を伏せる、泣くなど、悲しんでいるキャラクターを表すキャラクター画像を対応させることによって、ユーザに、その設定値がお勧めではないことを暗に示すことができる。
【００４１】
このように、本実施形態では、ユーザは、どの選択項目が製作者のお勧めの設定値に対応するものであるかを容易に知ることができる。また、本実施形態は、製作者のお勧めの設定値であることをキャラクターの表情、動作等によってユーザに暗に知らせることができるため、ユーザが押し付けがましく感じることを避けることができる。
【００４２】
また、例えばユーザが前回設定していた設定値には、笑う、笑いながらジャンプする、など、喜んでいるような表示形態を対応させることによって、ユーザに、その設定値が前回設定していたものであることを暗に示すことができる。このように、本実施形態によれば、ユーザは、キャラクター画像を視認することによって、どの選択項目が前回の設定に戻す操作を行なうものであるかを容易に知ることができる。そのため、複数の設定を変更した後に一部の設定のみについて元に戻したい場合に、初期化して全ての設定を初期値にすることなく、一部の設定について容易に変更前の設定に戻すことができる。
【００４３】
したがって、本実施形態によれば、設定の操作を容易にすることができるため、電子機器に対して苦手意識を持っているユーザに対して、苦手意識を軽減させることができる。また、キャラクター画像を表示することによって、ユーザに対して、テレビのコンテンツの視聴以外のエンターテインメント性、癒しなどの楽しみを提供することができる。
【００４４】
〔テレビジョン受像機の構成〕
次に、本実施形態における表示装置を備えるテレビジョン受像機の構成について、図２を参照して説明するとともに、表示装置の構成についてさらに詳細に説明する。図２は、本発明の一実施形態におけるテレビジョン受像機の構成を示す図である。
【００４５】
本実施形態におけるテレビジョン受像機１０は、バス８に接続されたＣＰＵ（Ｃｅｎｔｒａｌ  Ｐｒｏｃｅｓｓｉｎｇ  Ｕｎｉｔ）６及びメモリ７を備えている。このテレビジョン受像機１０の動作は、前記ＣＰＵ６及び前記メモリ７に記憶された各種の制御プログラムにより制御される。即ち、テレビジョン受像機１０では、ＣＰＵ６を含むコンピュータ・システムによって制御されており、テレビジョン受像機１０をコンピュータ・システムによって動作させるためのプログラムはメモリ７に記憶されている。
【００４６】
メモリ７は、ＣＰＵ６を動作させるためのＯＳ（オペレーティング・システム）や各種の制御ソフト等を記憶している。また、メモリ７は、放送波を介して受信した電子番組表（ＥＰＧ；Electronic Program Guide）データ等の番組情報に関するデータ、ＯＳＤ（オン・スクリーン・ディスプレイ）データなどを記憶している。ＯＳＤデータとしては、複数の選択項目を表示するための設定画面のデータなどが挙げられる。さらに、メモリ７は、各種制御動作に必要なワークメモリとして働くワーク領域を有している。なお、メモリ７は、通常、ＲＡＭ（Ｒａｎｄｏｍ  Ａｃｃｅｓｓ  Ｍｅｍｏｒｙ）によって構成されるが、一部にＲＯＭ（Ｒｅａｄ  Ｏｎｌｙ  Ｍｅｍｏｒｙ）を含んでいても良い。また、書き換え可能なフラッシュメモリ等を含んでいてもよい。
【００４７】
また、メモリ７は、表示装置における所定の設定の種類に関連付けられた、当該設定の種類に応じたキャラクター画像を記憶している。また、メモリ７は、設定を行なう際に表示装置に反映される複数の設定値に関連付けられた、当該設定値の各々に応じた表示形態のキャラクター画像のデータを記憶している。
【００４８】
テレビジョン受像機１０には、デジタルチューナー部１４及びアナログチューナー部１２が設けられており、デジタル放送及びアナログ放送が受信可能とされている。また、外部入力部３１には、ＨＤＤ（Ｈａｒｄ  Ｄｉｓｃ  Ｄｒｉｖｅ）、ＳＤ（Ｓｅｃｕｒｅ  Ｄｉｇｉｔａｌ）カード等の固体メモリ、ＢＤ（ブルーレイディスク）、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等のディスク装置等、種々の外部機器３０が接続可能とされており、更に、テレビジョン受像機１０の本体内にもＢＤ／ＤＶＤ／ＣＤの記録／再生部３２が内蔵されている。更に、ＩＰ（Ｉｎｔｅｒｎｅｔ  Ｐｒｏｔｏｃｏｌ）放送チューナー部２３が備えられており、ＩＰ放送の受信も可能とされている。
【００４９】
テレビジョン受像機１０は、この外、ＡＶ（Ａｕｄｉｏ  Ｖｉｓｕａｌ）スイッチ部１３、デジタル復調部１５、分離部（ＤＭＵＸ（デマルチプレクサ））１６、ビデオデコード／キャプチャ部１７、ビデオセレクタ部１８、映像処理部１９、加算回路２０、表示制御部（表示手段、選択項目表示手段）２１、液晶表示パネル２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部（受付手段）３５、及び画像取得部（画像取得手段）３７を備えている。テレビジョン受像機１０には、更に、周囲の明るさを検出するためのＯＰＣ（ＲＧＢ）センサー３８、及び人の存在を感知するための人感（熱）センサー３９が設けられている。
【００５０】
アナログチューナー部１２は、アナログ放送受信用のアンテナ１１を介して受信するアナログテレビ放送信号を選局するもので、選局部３３からの選局指示に応じて選局を行なう。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００５１】
デジタルチューナー部１４は、デジタル放送受信用アンテナ４０を介して受信するデジタルテレビ放送信号を選局するもので、選局部３３からの選局指示に応じて受信するチャンネルの選局を行なう。デジタルチューナー部１４からの受信信号は、デジタル復調部１５にて復調され、分離部（ＤＭＵＸ）１６に送られる。
【００５２】
ＩＰ放送チューナー部２３は、電話回線・ＬＡＮ（Ｌｏｃａｌ  Ａｒｅａ  Ｎｅｔｗｏｒｋ）等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００５３】
分離部（ＤＭＵＸ）１６は、デジタル復調部１５又はＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００５４】
ビデオデコード／キャプチャ部１７は、分離部（ＤＭＵＸ）１６によって分離された映像データをデコードしたり、映像データに含まれるビデオ情報を静止画としてキャプチャしたりする。前記ビデオデコード／キャプチャ部１７によってデコードされた映像信号は、ビデオセレクタ部１８に送られる。ビデオセレクタ部１８には、既に説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００５５】
映像処理部１９では、入力された映像信号に対して、例えば、ノイズリダクションの処理、シャープネスの調整、コントラストの調整等の映像処理を行ない、液晶表示パネル２２に対して最適な映像信号となるように映像データを変換する。
【００５６】
表示制御部２１は、受信した映像データを液晶表示パネル２２に表示させるための駆動回路を含む部分である。また、表示制御部２１は、加算回路２０によって加算された、ＥＰＧ／ＯＳＤ／予約処理部２４からのＯＳＤデータ、ＥＰＧデータなどを、映像処理部１９からの映像データに加えて液晶表示パネル２２に送信する。
【００５７】
液晶表示パネル２２には、表示制御部２１から受信した映像データ、ＯＳＤデータ、電子番組表データなどが表示される。
【００５８】
オーディオデコード部２５は、分離部（ＤＭＵＸ）１６によって分離された音声データをデコードするものである。オーディオデコード部２５は、デコードした音声信号をオーディオセレクタ部２６に送る。
【００５９】
オーディオセレクタ部２６は、ＡＶスイッチ部１３からの音声信号、外部入力部３１からの音声信号、及び、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００６０】
通信制御部３４は、電話回線、ＬＡＮ、インターネット等のネットワーク網を介して通信を確立させるように制御を行なう。
【００６１】
リモコン受光部３５は、リモートコントローラ３６（以下リモコン３６という）からの光信号を受信して、前記リモコン３６からの制御信号を受け付けるためのものである。制御信号には、表示装置における所定の設定を行なうための操作、特に複数の設定項目のうちいずれかを選択するための操作に関する制御信号が含まれてもよい。リモコン受光部３５は、受信した制御信号をＣＰＵ６に送信する。
【００６２】
ＥＰＧ／ＯＳＤ／予約処理部２４は、定期的に更新保存されたＥＰＧデータに基づき電子番組表を作成する。また、ＥＰＧ／ＯＳＤ／予約処理部２４は、前記の電子番組表を利用して番組の予約処理等を行なう。また、ＥＰＧ／ＯＳＤ／予約処理部２４は、メモリ７に予め保存されているＯＳＤデータを描画する。前記ＯＳＤデータとは、例えば、設定画面、音量ケージ、現在時刻、選局チャンネル等の各種情報を描画するためのデータである。
【００６３】
画像取得部３７は、メモリ７からキャラクター画像を取得して表示制御部２１に送信するためのものである。画像取得部３７は、リモコン受光部３５が受け付けた、表示装置における所定の設定を行なうための操作に関する信号をＣＰＵ６から受信し、これに基づいて、当該操作によって行なわれる設定の種類に関連付けられて記憶されているキャラクター画像をメモリ７から取得する。なお、当該信号が、複数の設定項目のうちいずれかを選択するための操作に関するものである場合には、画像取得部３７は、選択された設定項目に対応する設定値に関連付けられて記憶されているキャラクター画像をメモリ７から取得する。そして、取得したキャラクター画像を表示制御部２１に送信する。
【００６４】
以上の説明では、特に、テレビジョン受像機を例にして述べているが、その他にも、テレビを視聴可能とした携帯機器、例えば、携帯電話、カーナビゲーションシステム、携帯ゲーム端末機等においてテレビを受信する場合にも本願の発明に従った表示方法を適用できることは明らかである。
【００６５】
以上の各構成要素によって、本実施形態におけるテレビジョン受像機１０は、以下に説明する表示方法によって、キャラクター画像を表示するものである。
【００６６】
〔表示方法〕
上述したテレビジョン受像機１０がキャラクター画像を表示する方法を以下に説明するとともに、本発明に係る表示方法について説明する。本発明に係る表示方法は、受付工程と、画像取得工程と、表示工程とを含むものである。
【００６７】
（受付工程）
受付工程とは、テレビジョン受像機１０が備える表示装置における所定の設定を行なうための操作をユーザから受け付ける工程である。
【００６８】
受付工程においては、リモコン受光部３５は、ユーザが押下したリモコン３６から、テレビジョン受像機１０が備える表示装置において所定の設定を行なうための操作に関する制御信号を受け付ける。リモコン受光部３５は、受信した制御信号をＣＰＵ６に送信する。
【００６９】
（画像取得工程）
画像取得工程とは、受付工程において受け付けた操作によって行なわれる設定の種類に応じたキャラクターを表すキャラクター画像を取得する工程である。
【００７０】
画像取得工程においては、ＣＰＵ６は、受信した制御信号に基づいて、当該操作によって行なわれようとする設定の種類に応じたキャラクターを表すキャラクター画像を、メモリ７から取得するよう、画像取得部３７を制御する。画像取得部３７は、キャラクター画像をメモリ７から取得し、表示制御部２１に送信する。
【００７１】
（表示工程）
表示工程とは、画像取得工程において取得したキャラクター画像を表示する工程である。
【００７２】
表示工程においては、表示制御部２１は、画像取得部３７から受信したキャラクター画像を液晶表示パネル２２に表示させる。
【００７３】
以下に、本実施形態におけるテレビジョン受像機１０が液晶表示パネル２２に表示させる表示画面の例について説明する。
【００７４】
〔表示画面の例〕
図３、図４、図６、図７、図８、図９及び図１０は、本発明の一実施形態におけるテレビジョン受像機が液晶表示パネルに表示させる表示画面の例を示す図である。
【００７５】
図３に示す液晶表示パネル２２には、テレビジョン受像機１０の電源を自動的に起動させる時間を設定するための「おはようタイマー」の設定画面１１０が表示されている。設定画面１１０には、複数のタイマー１〜タイマー４について詳細な設定をするための選択項目１１２、１１３、１１４、１１５と、キャラクター画像１１１とが表示されている。
【００７６】
キャラクター画像１１１は、「おはようタイマー」という設定の種類に応じたキャラクターを表す画像であり、ここでは、パジャマを着た全身のクマの２コマアニメである。また、キャラクター画像１１１は、パジャマを着る動作を行なう表示形態を有する、２コマアニメなどの動画であってもよい。キャラクター画像１１１のサイズは、画面の解像度などによって変えることが好ましい。例えば、いわゆるフルＨＤ（ＦＵＬＬ  ＨＤ）モデルの画面（画素数が１９２０×１０８０等）に表示される場合においては、キャラクター画像のサイズは２６０×５２０ドットであってもよく、いわゆるＷＸＧＡモデルの画面（画素数が１２８０×７６８等）に表示される場合においては、キャラクター画像のサイズは１８５×３７０ドットなどであってもよい。なお、設定画面１１０においては、いずれの選択項目１１２、１１３、１１４、１１５が選択される場合においても、同じ表示形態のキャラクター画像１１１が表示される。
【００７７】
図４に示す液晶表示パネル２２には、タイマー１について詳細な設定をするための設定画面１２０が表示されている。設定画面１２０には、おはようタイマーを「設定」するという設定値に対応する選択項目１２２と、おはようタイマーの設定を「解除」するという設定値に対応する選択項目１２３と、キャラクター画像１２１とが表示されている。なお、図４は、ユーザによって選択項目１２２が選択されている状態を示している。
【００７８】
キャラクター画像１２１は、「おはようタイマー」という設定の種類に応じた、パジャマを着た全身のクマのキャラクターを表す画像であって、さらに選択された選択項目１２２に対応する設定値に応じた、笑っている表示形態のクマのキャラクターを表す画像である。これによって、選択項目１２２が、おはようタイマーを「設定」するという肯定的な設定を行なうための設定値に対応するものであることを、ユーザに暗に知らせることができる。
【００７９】
また、キャラクター画像１２１は、２コマアニメの動画である。図５（ａ）〜（ｄ）は、本発明の一実施形態におけるテレビジョン受像機が表示するキャラクター画像の例を示す図である。
【００８０】
図５（ａ）及び（ｂ）は、それぞれ選択項目１２２に対応する設定値に応じたキャラクター画像１２１の２コマアニメを構成する２つの画像１２１ａ、１２１ｂを示す。選択項目１２２が選択されているときには、テレビジョン受像機１０は、画像１２１ａ、１２１ｂを２コマアニメとして表示する。これによって、テレビジョン受像機１０は、喜んでいるような動作の表示形態を有するキャラクターを表すキャラクター画像１２１を表示させることができるので、おはようタイマーを「設定」するという肯定的な設定を行なうための設定値に対応するものであることを、ユーザに、さらに分かり易く示すことができる。
【００８１】
また、図５（ｃ）及び（ｄ）は、それぞれ選択項目１２３に対応する設定値に応じたキャラクター画像の２コマアニメを構成する２つの画像１２１ｃ、１２１ｄを示す。画像１２１ｃ、１２１ｄは、「おはようタイマー」という設定の種類に応じたパジャマを着たクマであって、さらに選択された選択項目１２３に対応する設定値に応じた、悲しむ表情を有する表示形態のクマである。選択項目１２３が選択された場合には、テレビジョン受像機１０は、画像１２１ｃ、１２１ｄを２コマアニメとして表示する。これによって、テレビジョン受像機１０は、キャラクターが悲しんでいるような表示形態のキャラクター画像を表示させることができるので、おはようタイマーの設定を「解除」するという否定的な設定を行なうための設定値に対応するものであることを、ユーザに分かり易く示すことができる。
【００８２】
キャラクター画像１２１等のサイズとしては、上述したように、例えば２６０×５２０ドット、１８５×３７０ドットなどが挙げられる。
【００８３】
図６および図７に示す液晶表示パネル２２には、２つの設定画面１３０及び１３３が表示されている。設定画面１３０には、選択項目１３２ａ〜１３２ｅが表示されており、図６は、ユーザによって選択項目１３２ｅの「チャンネル」が決定されている状態を示している。選択項目１３２ｅは、チャンネルを表示するという設定を行なうための設定画面１３３を表示するという設定値に対応している。設定画面１３３には、選択項目１３４ａ〜１３４ｉが表示されており、図６は、ユーザによって選択項目１３２ｅが選択されている状態を示しており、図７は、ユーザによって選択項目１３４ａが選択されている状態を示している。また、設定画面１３０上には、キャラクター画像１３１ａまたは１３１ｂが表示されている。
【００８４】
キャラクター画像１３１ａおよび１３１ｂは、チャンネルを表示するという設定の種類に応じたキャラクターを表す画像であり、ここでは、上半身のみのクマである。キャラクター画像１３１ａは、選択された選択項目１３２ｅに対応する設定値に応じた表示形態のものであり、ここでは、左右をキョロキョロ見る動作を行なうクマの２コマアニメである。キャラクター画像１３１ｂは、選択された選択項目１３４ａに対応する設定値に応じた表示形態のものであり、ここでは、設定画面１３３が表示される下方に顔を向けるクマの静止画像である。キャラクター画像１３１のサイズとしては、上述したように、例えば８０×８０ドット、５７×５７ドットなどが挙げられる。
【００８５】
本実施形態においては、いずれの選択項目１３２ａ〜１３２ｅが選択される場合においても、同じ表示形態のキャラクター画像１３１ａが表示され、いずれの選択項目１３４ａ〜１３４ｊが選択される場合においても、同じ表示形態のキャラクター画像１３１ｂが表示される。これにより、ユーザは、自分が設定画面１３０における選択項目１３２ａ〜１３２ｅのいずれかを選択中であること、または設定画面１３３における選択項目１３４ａ〜１３４ｉのいずれかを選択中であることを容易に知ることができる。
【００８６】
なお、キャラクター画像１３１ａは、選択されている選択項目１３２ａ〜１３２ｅに合わせて動くものであってもよい。
【００８７】
図８に示す液晶表示パネル２２には、液晶表示パネル２２における時刻表示の設定を行なうための設定画面１４０が表示されている。設定画面１４０には、常に時刻を表示するという設定値に対応する選択項目１４２と、３０分毎に時刻を表示するという設定値に対応する選択項目１４３と、時刻を表示しないという設定値に対応する選択項目１４４と、キャラクター画像１４１とが表示されている。なお、図８は、ユーザによって選択項目１４２が選択されている状態を示している。
【００８８】
キャラクター画像１４１は、時刻表示という設定の種類に応じたキャラクターを表す画像であり、ここでは、全身のクマである。また、キャラクター画像１４１は、選択された選択項目１４２に対応する設定値に応じた表示形態のものであり、ここでは、喜ぶクマの２コマアニメである。キャラクター画像１４１のサイズとしては、上述したように、例えば２６０×５２０ドット、１８５×３７０ドットなどが挙げられる。これによって、選択項目１４２が、時刻表示を「する」という肯定的な設定を行なうための設定値に対応するものであることを、ユーザに暗に知らせることができる。
【００８９】
また、選択項目１４３に対応する設定値に応じたキャラクター画像は、キャラクター画像１４１と同じものである。これによって、選択項目１４３が、３０分毎に時刻を表示「する」という肯定的な設定を行なうための設定値に対応するものであることを、ユーザに暗に知らせることができる。
【００９０】
また、選択項目１４４に対応する設定値に応じたキャラクター画像は、図示しないが、悲しむクマの２コマアニメである。これによって、選択項目１４４が、時刻を表示「しない」という否定的な設定を行なうための設定値に対応するものであることを、ユーザに暗に知らせることができる。
【００９１】
図９に示す液晶表示パネル２２の画面１５０は、番組を表示するという設定を行なうための操作をユーザから受け付けた場合に、当該番組を呼び出している最中の状態の画面である。画面１５０には、呼び出している番組の情報を表すＯＳＤデータ１５２（チャンネルコール）とともに、番組を表示するという設定の種類に応じたキャラクターを表すキャラクター画像１５１が表示される。キャラクター画像１５１は、ＯＳＤデータ１５２に逆さにぶらさがって手を振るといった、２コマアニメなどの動画であってもよい。キャラクター画像１５１のサイズとしては、例えば８０×８０ドット、５７×５７ドットなどが挙げられる。これによって、番組が呼び出されるまでの待ち時間に、ユーザに対してコンテンツの視聴以外のエンターテインメント性、癒し等の楽しみを提供することができる。
【００９２】
以上のように、本実施形態におけるテレビジョン受像機１０は、表示装置における所定の設定を行なうための操作をユーザから受け付けた場合に、その操作によって行なわれる設定の種類に応じたキャラクターを表すキャラクター画像を表示するものである。また、テレビジョン受像機１０は、表示装置に反映される複数の設定値のうちいずれかを個別に選択する選択項目を選択するための操作を受け付けたときには、選択された選択項目に対応する設定値に応じた表示形態のキャラクター画像を表示するものである。上記の構成であれば、ユーザは、キャラクター画像を視認することによって、どのような種類の設定を行なっているのか、どのような内容の選択項目を選択しているのか、等を視覚的に知ることができる。
【００９３】
また、本実施形態におけるテレビジョン受像機１０は、上述した場合以外にも、キャラクター画像を表示するものである。すなわち、画像取得部３７は、上述した場合以外にも、以下のような表示を実現させるためにキャラクター画像をメモリ７から取得し、表示制御部２１に送信するものである。
【００９４】
図１０に示す液晶表示パネル２２は、番組の映像データ１６０を表示している状態である。液晶表示パネル２２には、現在時刻を示すＯＳＤデータ１６２とともに、キャラクター画像１６１が表示される。
【００９５】
キャラクター画像１６１は、所定の時間には、他の時間とは異なるキャラクター画像に変更されてもよい。所定の時間とは、例えば、午前０時からの１分間、時刻を表す数字がぞろ目になる時間、特定の機能を使用している時間、そのほかの特定の時間帯などである。特定の機能を使用している時間の例としては、テレビジョン受像機１０の電源が自動的に切れるタイマー機能を使用している時間、レコーダー、ゲーム機等をテレビジョン受像機１０に接続している時間などがある。また、キャラクター画像１６１は、特定の時間帯に２コマアニメとなるものであってもよい。
【００９６】
例えば、キャラクター画像１６１は、昼間の時間帯には普通のクマであって、夜の時間帯にはパジャマを着たクマなどに変更されてもよい。また、ニュース視聴中は、メガネをかけたクマなどに変更されてもよい。
【００９７】
また、例えば、タイマー機能を使用している場合に、タイマー機能の使用累計回数又は設定累計回数が特定の数であるときには、さらに異なるキャラクター画像に変更されてもよい。また、タイマー機能を使用している場合には、電源が切れる時間の所定時間前から切れるまでの時間に、さらに異なるキャラクター画像に変更されてもよい。例えば、電源が切れる５分前から１分前にパジャマ姿などの表示形態のキャラクター画像に変更され、電源が切れる１分前から切れるまでは寝ている表示形態のキャラクター画像に変更されてもよい。
【００９８】
また、キャラクター画像１６１は、所定の日には、他の日とは異なるキャラクターを表すキャラクター画像に変更されてもよい。所定の日とは、例えば、予め設定された日などである。予め設定された日とは、例えば毎月１日であってもよく、お正月、祝日などのイベントがある日であってもよく、ユーザによって設定された記念日などであってもよい。また、所定の日は、ランダムに選択されたものであってもよい。
【００９９】
また、キャラクター画像１６１は、天気、気温、季節などによって異なるキャラクター画像に変更されてもよい。
【０１００】
また、キャラクター画像１６１は、例えばテレビジョン受像機１０と同じメーカーの製品のレコーダー等に接続されているときには、異なるキャラクター画像に変更されてもよい。
【０１０１】
なお、異なるキャラクター画像としては、例えば通常に表示されるキャラクター画像とはキャラクター自体が異なるもの、キャラクターは同一であるが異なる表示形態（動作、表情、服装、色など）であるもの、などが挙げられる。例えば、通常は薄茶色であるクマがピンク色になったものなどでもよい。
【０１０２】
また、テレビジョン受像機１０は、液晶表示パネル２２が番組の映像データ１６０を表示しているときに限らず、例えばゲーム画面を表示しているときにキャラクター画像を表示するものであってもよい。この場合には、例えば、ゲーム時間を表示する目的で、ゲーム画面を表示し続けている時間を記載した看板を持っている表示形態のキャラクター画像などを表示してもよい。
【０１０３】
また、テレビジョン受像機１０は、警告メッセージを表示するときに、その警告メッセージの内容に応じたキャラクター画像を表示するものであってもよい。
【０１０４】
また、テレビジョン受像機１０は、上述したようにキャラクター画像を表示する際に、ユーザがテレビジョン受像機１０を使用した回数、時間、利用した機能の数などに基づいて異なるキャラクターを表すキャラクター画像を表示するものであってもよい。例えば、テレビジョン受像機１０が表示するキャラクター画像におけるキャラクターは、ユーザがテレビジョン受像機１０を使い込むごとに、より成長したキャラクターに変更されてもよい。
【０１０５】
上記の構成により、ユーザに対してコンテンツの視聴以外のエンターテインメント性、癒し等の楽しみを提供することができる。
【０１０６】
〔プログラムおよび記録媒体〕
最後に、テレビジョン受像機１０に含まれている各ブロックは、ハードウェアロジックによって構成すればよい。または、次のように、ＣＰＵを用いてソフトウェアによって実現してもよい。
【０１０７】
すなわち、テレビジョン受像機１０は、各機能を実現する制御プログラムの命令を実行するＣＰＵ、この制御プログラムを格納したＲＯＭ、上記制御プログラムを実行可能な形式に展開するＲＡＭ、および上記制御プログラムおよび各種データを格納するメモリ等の記憶装置（記録媒体）を備えている。
【０１０８】
この構成により、本発明の目的は、所定の記録媒体によっても、達成できる。この記録媒体は、上述した機能を実現するソフトウェアであるテレビジョン受像機１０の制御プログラムのプログラムコード（実行形式プログラム、中間コードプログラム、ソースプログラム）をコンピュータで読み取り可能に記録していればよい。テレビジョン受像機１０にこの記録媒体を供給する。これにより、コンピュータとしてのテレビジョン受像機１０（またはＣＰＵやＭＰＵ（Ｍｉｃｒｏ  Ｐｒｏｃｅｓｓｉｎｇ  Ｕｎｉｔ））が、供給された記録媒体に記録されているプログラムコードを読み出し、実行すればよい。
【０１０９】
プログラムコードをテレビジョン受像機１０に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ（Ｍａｇｎｅｔｏｏｐｔｉｃａｌ）／ＭＤ（Ｍａｇｎｅｔｉｃ  Ｄｉｓｋ）／ＤＶＤ／ＣＤ−Ｒ（ＣＤ  Ｒｅｃｏｒｄａｂｌｅ）等の光ディスクを含むディスク系、ＩＣ（Ｉｎｔｅｇｒａｔｅｄ  Ｃｉｒｃｕｉｔ）カード（メモリカードを含む）／光カード等のカード系、あるいはマスクＲＯＭ／ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）／ＥＥＰＲＯＭ（Ｅｌｅｃｔｒｉｃａｌｌｙ  Ｅｒａｓａｂｌｅ  ＰＲＯＭ）／フラッシュＲＯＭ等の半導体メモリ系などとすることができる。
【０１１０】
また、テレビジョン受像機１０を、通信ネットワークと接続可能に構成しても、本発明の目的を達成できる。この場合、上記のプログラムコードを、通信ネットワークを介してテレビジョン受像機１０に供給する。この通信ネットワークは、テレビジョン受像機１０にプログラムコードを供給できるものであればよく、特定の種類または形態に限定されない。たとえば、インターネット、イントラネット、エキストラネット、ＬＡＮ、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＶＡＮ（ｖａｌｕｅ−ａｄｄｅｄ  ｎｅｔｗｏｒｋ）、ＣＡＴＶ（Ｃａｂｌｅ  Ｔｅｌｅｖｉｓｉｏｎ）通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１１】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１３】
本発明は、多機能化したテレビジョン受像機等の表示装置として最適に使用できる等、産業上の利用可能性は高い。
【符号の説明】
【０１１４】
１０  テレビジョン受像機
２１  表示制御部（表示手段、選択項目表示手段）
３５  リモコン受光部（受付手段）
３７  画像取得部（画像取得手段）
１０１、１１１、１２１、１３１、１４１、１５１、１６１  キャラクター画像
１０２、１０３  選択項目
１１２〜１１５  選択項目
１３４ａ〜１３４ｉ  選択項目
１４２〜１４４  選択項目
【図１】
2011138215.tif 000003
【図２】
2011138215.tif 000004
【図３】
2011138215.tif 000005
【図４】
2011138215.tif 000006
【図５】
2011138215.tif 000007
【図６】
2011138215.tif 000008
【図７】
2011138215.tif 000009
【図８】
2011138215.tif 000010
【図９】
2011138215.tif 000011
【図１０】
2011138215.tif 000012